(57)【要約】【課題】日中には外来光を利用して赤色印刷層の輝度を高めることができるとともに、夜間には光源による蛍光発色を促進して、昼夜に拘わらずレッドゾーンを赤色で鮮明表示可能にする。【解決手段】文字板生地１１と、白色印刷層２１と、赤色印刷層２２と、意匠表示部１６となるべき箇所が開口して白色印刷層２１の上面または前記赤色印刷層２２の上面が露出する黒色印刷層１３と、を備え、赤色印刷層２２は、赤色インクに桃色系蛍光顔料を混入したものである。【選択図】図１
2010164418.tif 000002
【特許請求の範囲】
【請求項１】
指針によって目盛または文字を含む意匠表示部を指す計器用文字板であって、
光源からの光を透過する文字板生地と、
前記文字板生地の、前記光源と向き合う下面とは反対側の上面に形成された白色印刷層と、
前記白色印刷層の上面に位置し、且つ該白色印刷層の上面の所定の領域に形成された赤色印刷層と、
前記白色印刷層の上面または前記赤色印刷層の上面に形成され、前記意匠表示部となるべき箇所が開口して前記白色印刷層の上面または前記赤色印刷層の上面が露出する黒色印刷層と、
を備え、
前記赤色印刷層は、赤色インクに桃色系蛍光顔料を混入したものであることを特徴とする計器用文字板。
【請求項２】
前記赤色インクに対する桃色系蛍光顔料の混入量が、２０％〜３０％であることを特徴とする請求項１に記載の計器用文字板。
【発明の詳細な説明】
【技術分野】
【０００１】
本発明は、自動車等に設置される計測器に設置されて、操安上必要となる測定対象情報等の測定結果を指針に指標させるための計器用文字板に関する。
【背景技術】
【０００２】
自動車に設置される計測器は、エンジン回転数や水温などの目盛を表示した文字板と、このエンジン回転数や水温などの測定対象情報の測定結果に基づいてこの文字板上を移動する指針と、を備えている。前記文字板上には指針によって指示される前記目盛、文字、数字のほかに、レッドゾーンと呼ばれる赤色の注意喚起領域が設けられている（例えば、特許文献１参照）。
【０００３】
図３は、かかる従来のエンジン回転計に用いられる文字板を示す。この文字板１０には、目盛１０ａが円弧状に配置されており、指針３０がエンジンの回転数に応じて回動中心Ｏを軸に回動し、目盛１０ａを指示するようになっている。また、目盛１０ａの所定の回転数（この例では、６０００ｒｐｍ以上）に対応する部分には赤色等の警告領域（レッドゾーン）１０ｂが形成されており、同図に示したように指針３０が警告領域１０ｂに入ったときは、エンジンの操案上注意すべき高速回転になったことを示している。
【０００４】
ところで、このような文字板１０は、例えば図４に示すように、文字板生地１１上のレッドゾーンとなる領域に赤色印刷層１２が設けられ、このレッドゾーンと目盛、文字、数字等の意匠表示部１６とを残して（レッドゾーンと、目盛、文字、数字等の意匠表示部１６と、を総称して意匠表示部と称することがある。）、黒色印刷層１３を文字板生地１１上に印刷してこの黒色印刷層１３を遮光部として機能させる構成を持つ。黒色印刷層１３は、ピンホールによる光の漏れを防止するために黒色印刷が複数層に亘って施されている。また、赤色印刷層１２と黒色印刷層１３との境界に隙間を生じるのを防ぐために、図示のように黒色印刷層１３が赤色印刷層１２の周辺に重ねるように施されている。
【０００５】
また、エンジン回転計には、このような文字板１０の下部に配線板を兼ねる基板１４が設置され、この基板１４上に白色や赤色の光を発生する発光ダイオードやランプなどの光源１５が配置される。この基板１４の表面は、光源からの出射光を前記目盛等の意匠表示部１６や赤色印刷層１２へ効率的に導くために好適な平坦部や凹凸部を持つ反射面とされる。これにより光源１５からの直接光および基板１４表面からの前記反射光を受けて、意匠表示部１６では目盛、文字、数字等が文字板１０上に明るく透過表示され、一方、レッドゾーンが赤色表示される。
【先行技術文献】
【特許文献】
【０００６】
【特許文献１】特開平０９−０２６３３５号公報
【発明の概要】
【発明が解決しようとする課題】
【０００７】
しかしながら、従来の文字板１０にあっては、レッドゾーンを単に赤色インクを用いた赤色印刷層１２によって形成していたため、夜間時の発光色は光源１５の透過光を受けて略鮮明となるものの、日中には文字板１０の内部（裏部）の暗部の影響を受けて鮮明な赤色表示がなされないという不都合があった。また、蛍光塗料を赤色印刷層１２に重ね印刷することも行われているが、発光色である赤色の鮮明度が未だ不十分であるという不都合があった。
【０００８】
本発明は上述した事情に鑑みてなされたものであり、その目的は、日中には赤色印刷層の輝度を高めることができるとともに、夜間には光源による蛍光発色を促進することができ、結果として昼夜に拘わらずレッドゾーンを赤色で鮮明表示することができる計器用文字板を提供することにある。
【課題を解決するための手段】
【０００９】
前述した目的を達成するため、本発明に係る計器用文字板は、下記（１）および（２）を特徴としている。
（１）  指針によって目盛または文字を含む意匠表示部を指す計器用文字板であって、
光源からの光を透過する文字板生地と、
前記文字板生地の、前記光源と向き合う下面とは反対側の上面に形成された白色印刷層と、
前記白色印刷層の上面に位置し、且つ該白色印刷層の上面の所定の領域に形成された赤色印刷層と、
前記白色印刷層の上面または前記赤色印刷層の上面に形成され、前記意匠表示部となるべき箇所が開口して前記白色印刷層の上面または前記赤色印刷層の上面が露出する黒色印刷層と、
を備え、
前記赤色印刷層は、赤色インクに桃色系蛍光顔料を混入したものであること。
（２）  上記（１）の構成の計器用文字板であって、
前記赤色インクに対する桃色系蛍光顔料の混入量が、２０％〜３０％であること。
【００１０】
上記（１）の構成によれば、夜間には、計器用文字板を構成する透明の基板の下面に向けて照明が行われると、その照明光は白色印刷層を透過し、赤色印刷層内を進行する。この赤色印刷層内では桃色系蛍光顔料が入射光を受けて蛍光発光する。この蛍光発光による輝度の高い反射光は再び赤色印刷層内を進行した後、この赤色印刷層外へ出射する。この場合において、桃色系蛍光顔料で反射された蛍光発光による反射光の一部は、白色印刷層との境界で再反射された後、赤色印刷層内を透過して、輝度の高い赤色光を赤色印刷層の外へ放射する。これにより、光源からの直接光による蛍光発色に、さらに白色印刷層による反射光分の蛍光発色を加えて、輝度の高い真紅に近いレッドゾーン表示を可能にする。
【００１１】
一方、日中には、外来光が計測器の透明カバーを介して赤色印刷層に入射する。この入射光は、赤色印刷層内を進行して内部の桃色系蛍光顔料に反射され、その赤色印刷層の表面側から外部へ進行する。また、赤色印刷層内を進行する入射光の一部は白色印刷層に達すると、この白色印刷層との境界面で反射され、更にその一部がピーク系蛍光顔料によって反射され、再び赤色印刷層の表面側から外部へ高輝度で進行する。このため、赤色印刷層を外部から看取したときその赤色印刷層には暗部が生じることがなくなり、レッドゾーンにおける鮮かな真紅の赤色を視認することができる。
【００１２】
また、上記（２）によれば、桃色系蛍光顔料の赤色インクに対する混入量が２０％〜３０％を超えない場合には、日中には鮮やかな赤色の表示が可能になるとともに、褪色の進行を最小限に抑制でき、長期に亘って良好な赤色を維持できるほか、夜間でも鮮やかな赤色表示を維持することができる。
【発明の効果】
【００１３】
本発明によれば、日中には外来光により赤色印刷層の輝度を高めることができるとともに、夜間には光源による蛍光発色を促進して、昼夜に拘わらずレッドゾーンを鮮やかな赤色で鮮明表示することができる。
【００１４】
以上、本発明について簡潔に説明した。更に、以下に説明する発明を実施するための形態を添付の図面を参照して通読することにより、本発明の詳細は更に明確化されるであろう。
【図面の簡単な説明】
【００１５】
【図１】本発明に係る計器用文字板の実施形態を示す要部の断面図である。
【図２】図１に示す計器用文字板の要部の拡大断面図である。
【図３】従来の回転計を示す正面図である。
【図４】従来の回転計に使用される文字板の拡大断面図である。
【発明を実施するための形態】
【００１６】
以下に、本発明に係る計器用文字板の好適な実施形態について、図面を参照しながら説明する。なお、本実施形態では、計器用文字板を、測定対象情報としてのエンジン回転数を計測するエンジン回転計に適用した場合について説明する。
ここで、図１は、本発明の実施形態に係る計器用文字板を持つエンジン回転計要部の断面図、図２は、その計器用文字板における光の進行形態を示す要部の拡大断面図である。なお、図３および図４に示したものと同一の構成部分には同一符号を付してその重複する説明を省略する。本実施形態の計器用文字板２０は、文字板生地１１と、白色印刷層２１と、赤色印刷層２２と、黒色印刷層１３とを含んで構成される。
【００１７】
文字板生地１１は、計器用文字板２０の全体形状を保つ光透過性の板材であって、平らで硬質の合成樹脂、たとえば、ポリカーボネート樹脂板からなる。この文字板生地１１は、これの一面側（図中、下面）から入射された光を生地全体に導くとともに、更に上面（下面の他面側）に隣接する後述の白色印刷層および赤色印刷層へ導くように機能する。白色印刷層２１は、文字板生地１１上の全体に白色塗料や白色系顔料などを主成分とする白色インキによりベタ印刷が施されたものであり、光透過性を有する。この白色印刷層２１は、文字板生地１１を通して入射した光を層内全体に拡散し、全面に亘って明るさが均等となる面発光状態をつくるものとする。
【００１８】
一方、この白色印刷層２１は、周辺が明るい日中において、文字板生地１１の裏側が、暗部となる部分によってこの対応部位が暗く見えないように、外部から入射する光を反射するように機能する。この白色印刷層２１は、後述の黒色印刷層１３によって覆われる部分以外で目盛、文字、数字等の意匠表示部１６を明るく表示するように、前記文字板生地１１上に印刷される。赤色印刷層２２は、白色印刷層２１上の所定領域内にベタ印刷が施されたレッドゾーン表示用の印刷層である、この赤色印刷層２２は、赤インクに桃色系蛍光顔料を混入したものからなる。
【００１９】
エンジンの回転計では、所定の数値目盛領域内を通常運転時のエンジン回転数として、一方、この数値目盛領域を超える領域には、運転に注意すべき注意喚起領域または警告領域の赤色印刷層２２が設けられる。この赤色印刷層２２によって表示されるレッドゾーンは、前述のように運転者に注意を喚起させるために大きな役目を果たす。
【００２０】
黒色印刷層１３は、黒色アゾ顔料などの黒色顔料として主成分とするや印刷インキ用により、白色印刷層２１上または赤色印刷層２２の所定領域内にベタ印刷が施されたものであり、遮光機能を有することとなる。黒色印刷層１３は、白色印刷層２１の上面または前記赤色印刷層の上面のうちの意匠表示部となるべき箇所（レッドゾーン、目盛り、文字、数字等）にはベタ印刷が施されないことによって、意匠表示部となるべき箇所が開口を形成して白色印刷層２１の上面または赤色印刷層２２の上面が露出する。この黒色印刷層１３はピンホールによる光の漏れを防止するために、複数層に重ねて印刷されている。
【００２１】
文字板生地１１の裏側（図中、下面）には、所定の空隙（空間）をおいて基板１４が配置されている。この基板１４は回路基板を兼用し、その基板１４上に発光ダイオードやミニランプ等の光源１５が設置されている。この光源１５の発光色は白色のほか、赤色や、橙色とすることができる。
【００２２】
次に、前記構成になる計器用文字板２０のレッドゾーン表示動作を、図面について説明する。前述の計器用文字板２０を持つエンジンの回転計等では、夜間は、基板１４上の光源１５から照明光が文字板生地１１に向けて照射される。この照射光は文字板生地１１内にこれの一面（図中、下面）側から内部に入射され、この文字板生地１１内の全体に広げられた後、上面側から出射して白色印刷層２１に入射する。
【００２３】
白色印刷層２１では、文字板生地１１からの入射光が内部で均等に拡散されて、全体が光源からの出射光の色に染まる。また、この色の出射光を前記目盛、文字、数値等の意匠表示部１６へ出射するとともに、赤色印刷層２２へも出射する。前記目盛、文字、数値等の意匠表示部１６は、黒色印刷層１３が設けられない部分であり、この部分を透過する光が前記目盛、文字、数値等として計器用文字板上で看取される。
【００２４】
赤色印刷層２２では、図２に示すように、白色印刷層２１からの出射光を下面に受けると、一部の光は桃色系蛍光顔料２３に入射することなく赤色印刷層２２の上面に到達し、一方、他の一部の光は桃色系蛍光顔料２３に入射する。桃色系蛍光顔料２３に入射した入射光は、赤色印刷層２２内を輝度の高い赤色の光として移動し、ある入射光は更に桃色系蛍光顔料２３の１個または複数個によって反射されて更に赤色印刷層２２内を輝度の高い赤色の光として移動し、その赤色印刷層２２の上面から外部へ出射することとなる。
【００２５】
このような白色印刷層２１を通過後、桃色系蛍光顔料２３によって反射されて赤色印刷層２２内を進行する光は、明るい桃色系蛍光顔料２３が持つ桃色と赤色印刷層２２が持つ赤色との混合色の光になる。この混合色の光が赤色印刷層２２から出射されることにより、鮮明な真紅色のレッドゾーンが計器用文字板上に表示されることとなる。
【００２６】
一方、日中には、回転計の前面が外来光にさらされている。この外来光は図示しない透明カバーを介して赤色印刷層２２および目盛、文字、数字等の意匠表示部にそれぞれ入射する。赤色印刷層２２に入射した外来光は一部がこの赤色印刷層２２内を進み、この赤色印刷層２２と白色印刷層２１との境界面で反射される。この反射光は更に赤色印刷層２２内を逆方向に進行して赤色印刷層２２の上面から外部へ出射する。
【００２７】
また、赤色印刷層２２内に入射した残る一部の外来光はこの赤色印刷層２２内を進行し、その赤色印刷層２２内部の桃色系蛍光顔料２３に反射されて、その反射方向に赤色印刷層２２内を進行する。そして、この反射光の一部は赤色印刷層２２の上面から外部へ出射する。このとき、桃色系蛍光顔料２３で反射された光は、白色印刷層２１との境界面や他の桃色系蛍光顔料にも達して反射され、前記同様に赤色印刷層２２の上面から外部へ出射する。
【００２８】
これらの出射光は、赤色印刷層２２の赤色と桃色系蛍光顔料２３の高輝度の桃色とが混合した鮮明で真紅に近い赤色となって運転者に看取される。従って、この桃色系蛍光顔料２３を含む赤色印刷層２２が設けられたレッドゾーンは、昼夜を問わず、計測器の指針が指示する計器用文字板２０上のエンジン回転数の注意領域を、運転者に明確に認識させることができる。
【００２９】
一方、黒色印刷層１３が施されない目盛、文字、数字などの意匠表示部１６は、夜間においては前述のように光源１５の発光色に応じた色の光を白色印刷層２１を介して透過し、白色印刷層２１の上面から外部へ出射することによって、計器用文字板２０上に表示される。一方、日中においては、白色印刷層２１の上面における外来光の反射光によって、前記目盛、文字、数字等を外部に向かって明るく表示することとなる。
【００３０】
以上説明してきたように、本実施形態によれば、測定対象情報の大きさを指針によって指示する目盛や文字等を表示した計器用文字板２０が、光透過性を持つ文字板生地１１と、この文字板生地１１上に設けた光透過性を持つ白色印刷層２１と、この白色印刷層２１上に設けたレッドゾーン表示用の赤色印刷層２２と、この赤色印刷層２２と白色印刷層２１に形成されて測定対象情報の大きさを示す目盛、文字等の衣装表示部分とを除く領域の黒色印刷層１３とを備えて、前述の赤色印刷層２２を、赤色インクに桃色系蛍光顔料２３を混入した構成としている。
【００３１】
これにより、桃色系蛍光顔料２３を含む赤色印刷層２２が設けられたレッドゾーンは、昼夜を問わず赤色印刷層２２全体の輝度を高めることとなり、計測器の指針が指示する計器用文字板２０上のエンジン回転数などの測定対象情報の注意領域を、運転者に明確に認識させることができる。
【００３２】
また、赤色インクに対する桃色系蛍光顔料２３の混入量を２０％〜３０％とした場合には、日中は外来光を利用して鮮やかな赤色の表示が可能になるとともに、赤色の褪色の進行を最小限に抑制でき、長期に亘って良好なレッドゾーンを維持できるほか、夜間にも光源を利用して鮮明なレッドゾーン表示をすることができる。赤色が暗くなるのを回避することができる。
【符号の説明】
【００３３】
１１  文字板生地
１２  赤色印刷層
１３  黒色印刷層
１４  基板
１５  光源
２０  計器用文字板
２１  白色印刷層
２２  赤色印刷層
２３  桃色蛍光顔料
【図１】
2010164418.tif 000003
【図２】
2010164418.tif 000004
【図３】
2010164418.tif 000005
【図４】
2010164418.tif 000006